(57)【要約】【課題】従来よりも高効率な集光型太陽電池を提供することを目的とする。【解決手段】ここに開示される集光型太陽電池１０は、多層構造の太陽電池セル３と、太陽電池セル３に太陽光を集光する集光レンズ１ａと、を備える。そして、集光レンズ１ａのレンズ面１ｂは、非軸対称な非球面形状を有する。このような構成により、集光レンズ１ａの焦点深度を深くすることができる。これにより、太陽電池セル３の各層に形成されるスポット形状の変化を抑えることができる。【選択図】図１
2015015336.tif 000002
【特許請求の範囲】
【請求項１】
多層構造の太陽電池素子と、
前記太陽電池素子に太陽光を集光するレンズと、
を備え、
前記レンズは、非軸対称な非球面形状を有する、
集光型太陽電池。
【請求項２】
前記非球面形状は、
デフォーカス時におけるスポット形状の変化が略同一となるように位相変調を与える形状である、
請求項１に記載の集光型太陽電池。
【請求項３】
前記レンズは、
太陽光が入射する入射面と、
前記入射した光が出射する出射面とを備え、
前記入射面は、
前記非軸対象な非球面形状であり、
前記太陽電池素子は、
前記出射面に接着されている、
請求項１または２に記載の集光型太陽電池。
【発明の詳細な説明】
【技術分野】
【０００１】
本開示は、太陽光発電に用いられる集光型太陽電池に関する。
【背景技術】
【０００２】
特許文献１は、集光レンズと太陽電池とを一体化させる一体構造の光学部材を設けることにより、太陽光を無駄なく太陽電池素子に集光させて出力の向上を図った集光型太陽電池を開示している。
【先行技術文献】
【特許文献】
【０００３】
【特許文献１】国際公開第２０１２／１６０９９４号
【発明の概要】
【発明が解決しようとする課題】
【０００４】
本開示は、従来よりも高効率な集光型太陽電池を提供することを目的とする。
【課題を解決するための手段】
【０００５】
本開示にかかる集光型太陽電池は、多層構造の太陽電池素子と、前記太陽電池素子に太陽光を集光するレンズと、を備え、前記レンズは、非軸対称な非球面形状を有する。
【発明の効果】
【０００６】
本開示によれば、従来よりも高効率な集光型太陽電池を提供することができる。
【図面の簡単な説明】
【０００７】
【図１】集光型太陽電池１０の構成を示す概略断面図
【図２】（ａ）レンズ２０１と、非対称な非球面２０２ａを有する位相板とで構成された光学系に光が入射したときの光線を示す概略図（ｂ）位相板２０２を設置せずレンズ２１のみで構成された光学系に光が入射したときの光線を示す概略図
【図３】（ａ）実施例のスポットダイヤグラムを示す図（ｂ）比較例のスポットダイヤグラムを示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、出願人は、当業者が本開示を十分に理解するために添付図面および以下の説明を提供するのであって、これらによって特許請求の範囲に記載の主題を限定することを意図するものではない。
【００１０】
（実施の形態１）
［１．構成］
以下、本実施の形態における集光型太陽電池１０について説明する。図１は、本実施の形態にかかる集光型太陽電池１０の構成を示す概略断面図である。
【００１１】
図１に示すように、集光型太陽電池１０は主として、太陽電池セル３と、太陽電池セル３に太陽光を集光するレンズアレイ１と、で構成されている。
【００１２】
レンズアレイ１は、ガラス基板２と、ガラス基板２上にアレイ状に設けられた複数の集光レンズ１ａと、を備える。ガラス基板２と集光レンズ１ａは互いに接着固定されている。
【００１３】
また、レンズアレイ１は、入射面１ｂと、出射面１ｃを有している。レンズアレイ１に入射した太陽光は、それぞれのレンズ面１ｂにより集光される。集光された光は、出射面１ｃから出射する。この出射面１ｃに、太陽電池セル３が設けられている。
【００１４】
本実施形態の集光レンズ１ａは、アクリル樹脂で形成された凸レンズである。集光レンズ１ａの材料はアクリル樹脂には限られず、その他の樹脂や、ガラスであってもよい。
【００１５】
太陽電池セル３は、太陽光を吸収する１以上の光吸収材料から形成される。詳細には、太陽電池セル３は、吸収波長帯が異なる複数種類のｐｎ接合が積層された多接合型の構造を備えている。本実施の形態では、３層からなる多接合太陽電池セルを用いており、ほぼすべての太陽スペクトルが吸収される。太陽電池セル３は、ガラス基板２を挟んで集光レンズ１ａと対向する位置に配置されている。すなわち、アレイ状に配列された集光レンズ１ａに対応して、太陽電池セル３もアレイ状に複数配列されている。
【００１６】
集光型太陽電池１０はさらに、撥水膜４、Anisotropic Conductive Film(以下、ACFとする)５配線基板６、放熱板７を有している。
【００１７】
次に本実施の形態における集光型太陽電池１０の動作について説明する。太陽光は、集光レンズ１ａにより、太陽電池セル３上に集光される。集光レンズ１ａと太陽電池セル３は、１対になっており、アレイ状に配列される。集光レンズ１ａのレンズ面１ｂは、非対称な非球面形状であり、波長による集光スポットの形状変化を低減するように形状が決定される。これにより、集光レンズ１ａの色収差による太陽電池の発電効率低下を抑制している。太陽電池セル３は、太陽光の光エネルギーを電気エネルギーに変換する。変換された電気エネルギーは、配線基板６から取り出される。ＡＣＦ５は、太陽電池セル３の電極と配線基板６の配線を電気的に接続する。また放熱板７により、集光型太陽電池１０は、適切な動作温度に保たれる。
【００１８】
太陽電池セル３のガラス基板への接着方法について説明する。
【００１９】
まず、ガラス基板出射面２ａに撥水膜４を塗布する。その後、レンズアレイ１に対して波長436nmの平行光をレンズ面１ｂ側から入射させる。この時、平行光の向きは、集光レンズ１ａの光軸に一致させる。集光レンズ１ａの波長436nmにおける焦点面は、ガラス基板出射面２ａに略一致させられている。従って上記平行光は、集光レンズ１ａによりガラス基板出射面２ａに集光される。
【００２０】
撥水膜４は光が照射された領域が親水性に変化する材料で形成されている。従ってガラス基板出射面２ａに塗布された撥水膜は、集光スポットの領域のみが親水性に変化する。この状態で透明接着剤を撥水膜４上に塗布する。透明接着剤は撥水膜４のうち親水性に変化した領域に集まる。この状態で太陽電池セル３を透明接着剤上に配置し接着する。このような行程により、太陽電池セル３を集光レンズ１ａの光軸上に正確に配置することが出来る。
【００２１】
［２．レンズ設計］
本実施の形態では、集光レンズ１ａのレンズ面１ｂを非軸対称な非球面形状となるよう設計している。このような設計により、集光レンズ１ａの焦点深度が深くなる。集光レンズ１ａの焦点深度が深くなることにより、多層型の太陽電池セル３のいずれの層においても、ほぼ同じ形状の集光スポットを形成することができる。したがって、太陽電池セル３の各層における光電変換効率を従来よりも高めることができる。
【００２２】
図２を用いて、非軸対称な非球面の効果について説明する。
【００２３】
図２（ａ）は、レンズ２０１と、非対称な非球面２０２ａを有する位相板とで構成された光学系に光が入射したときの光線図を示している。また、図２（ａ）は、像面２０３におけるスポットダイヤグラム２０６、像面２０４におけるスポットダイヤグラム２０７，像面２０５におけるスポットダイヤグラム２０８を示している。  なお、図２（ａ）では、レンズ２０１と位相板２０２が別部材で構成されているが、本実施形態の集光レンズ１ａのレンズ面１ｂは、レンズ２０１の光学機能と位相板２０２の光学機能が重畳された形状となっている。
【００２４】
ここで位相板２０２の非球面２０２ａは、式（１）で表されるように３次の非球面である。
【００２５】
【数１】
2015015336.tif 000003
【００２６】
・・・（１）
式（１）において、SAGZは光軸に沿ったサグ量、ｘ、ｙは、図２（ａ）に示す座標系の軸、ｃは係数である。スポットダイヤグラム２０６、２０７、２０８に示されるように、係数ｃの値を適切に決定することで、デフォーカスに対するスポット形状の変化が非常に小さく抑えられる。すなわち、焦点深度が深くなる。
【００２７】
図２（ｂ）は、位相板２０２を設置せずレンズ２１のみで構成された光学系に光が入射したときの光線図を示している。また、図２（ｂ）は、像面２０３におけるスポットダイヤグラム２０９，像面２０４におけるスポットダイヤグラム２１０、像面２０５におけるスポットダイヤグラム２１１を示している。
【００２８】
図２（ｂ）から明らかなように、デフォーカスにより、スポットダイヤグラムのサイズが大きく変化している。
【００２９】
従って本実施の形態において、集光型太陽電池１０の集光レンズ１ａに、図２（ａ）で説明したような技術を用いた場合、焦点深度が深くなる。これにより、太陽光スペクトルの波長毎の集光スポットの形状変化を低減することが出来る。
【００３０】
ここで、３次の位相板によって焦点深度が深くなる理由について詳細に説明する。レンズに平行光が入射する場合を考えた場合、波面で考えると、平面波を、像面に集束する球面波に変換しているといえる。集束波へのレンズによる変換は、波面上の光軸から遠い部分ほどより大きく波面を前進させることにより実現出来る。集束波の位相は、近似的には式（２）で表される。
【００３１】
【数２】
2015015336.tif 000004
【００３２】
・・（２）
ここで、λは光の波長、ｆはレンズの焦点距離、ｘは光軸に垂直な方向の位置座標（図２と同じ意味）である。焦点深度を拡大するには、光線の入射位置座標ｘとともに焦点距離が１次式ｆ＋axのように変化すればよい、係数ａがｆの値に比べ十分小さい場合、式（２）の位相変化は、式（３）のようになり、第２項が３次の位相板に対応していることが分かる。
【００３３】
【数３】
2015015336.tif 000005
【００３４】
・・・（３）
このような考えに基づいて、集光レンズ１ａのレンズ面１ｂの形状が設計されている。
【００３５】
（実施例）
［実施例１］
以下実施例について説明する。本実施例において、レンズ面１ｂの形状は式（４）で表される。
【００３６】
【数４】
2015015336.tif 000006
【００３７】
・・・（４）
ここで、ｚは、光軸に平行なサグ量、ｃは曲率、ｋはコーニック定数、ｃｘ、ｃｙは係数、x,yは、光軸垂直な位置座標である。
【００３８】
式（４）において、第２項、第３項が位相板の機能である。つまりレンズ面１ｂは、通常のレンズの機能と位相板の機能を１つの面にかね備えている。
【００３９】
本実施例では、ｃ＝0.179211、ｋ＝-0.4883、ｃｘ＝1.1e-3、ｃｙ＝1.1e-3とした、また集光レンズ１の厚さは10mm、ガラス基板２の厚さは７ｍｍとし、ガラス基板２の材質は、BK７を用いた。
【００４０】
図３（ａ）に、本実施例における、太陽電池セル３上での各波長毎のスポットダイヤグラムを示す。波長は、400nm、600nm、1000nmの場合を計算している。図から明らかなように、波長による集光スポットの形状変化が小さく抑えられていることが分かる。
【００４１】
［比較例１］
次に比較例として、通常の軸対象の非球面レンズで集光した場合について説明する。レンズ面１ｂの形状は、式（５）で表される。
【００４２】
【数５】
2015015336.tif 000007
【００４３】
・・・（５）
ここで、ｚは、光軸に平行なサグ量、ｃは曲率、ｋはコーニック定数、Aは係数、x,yは、光軸垂直な位置座標である。
【００４４】
本比較例では、ｃ＝0.179829、ｋ＝-0.44704、A=-0.246272e-5とした。また集光レンズ１ａの厚さは10mm、ガラス基板２の厚さは７ｍｍとし、ガラス基板２の材質は、BK７を用いた
図３（ｂ）に本比較例における、太陽電池セル３上での各波長毎のスポットダイヤグラムを示す。波長は、400nm、600nm、1000nmの場合を計算している。図から明らかなように、波長による集光スポットの形状変化が実施例に比べ大きいことが分かる。
【産業上の利用可能性】
【００４５】
本開示は、太陽光発電に用いられる集光型太陽電池素子に適用可能である。
【符号の説明】
【００４６】
１    レンズアレイ
１ａ  集光レンズ
１ｂ  レンズ面
２    ガラス基板
３    太陽電池セル
４    撥水膜
５    ＡＣＦ
６    配線基板
７    放熱板
１０    集光型太陽電池
【図１】
2015015336.tif 000008
【図２】
2015015336.tif 000009
【図３】
2015015336.tif 000010